(57)【要約】【課題】            本発明は、軽量かつ作業性に優れ、しかも、多種多様なフィルターユニットの脱着時の作業性にも優れた取付け枠を実現、提供すること  【解決手段】        天板、底板、並びに一対の側板で通気路を画成し、前記側板の各々に設けたブラケットに回動自在に取り付けられたホルダと、該ホルダに挿通するための挿通孔を設けたフィルターユニットを載置支持するため、前記底板の前記通気路の上流及び下流に渡って設けたレール状部材とを有するフィルターユニット取付け枠であって、  前記レール状部材には、その延在方向に渡り、前記側板に面して形成された延出用切欠き部を設け、該延出用切欠き部に回動自在に取り付けられた支持体を設けたこと。【選択図】          図３
2019063749.tif 000002
【特許請求の範囲】
【請求項１】
天板、底板、並びに一対の側板で通気路を画成し、前記側板の各々に設けたブラケットに回動自在に取り付けられたホルダと、該ホルダに挿通するための挿通孔を設けたフィルターユニットを載置支持するため、前記底板の前記通気路の上流及び下流に渡って設けたレール状部材とを有するフィルターユニット取付け枠であって、
前記レール状部材には、その延在方向に渡り、前記側板に面して形成された延出用切欠き部を設け、該延出用切欠き部に回動自在に取り付けられた支持体を設けたことを特徴とするフィルターユニット取付け枠。
【請求項２】
前記延出用切欠き部に連続して、前記天板方向に斜度調整切欠き部を設けたことを特徴とする請求項１に記載のフィルターユニット取付け枠。
【発明の詳細な説明】
【技術分野】
【０００１】
本発明は、外気を吸気して室内に供給するための空調装置にあって、空調装置として組み込まれ、フィルターユニットを装着収納するためのフィルター取付け枠に関する。
【背景技術】
【０００２】
空調装置は、ビル等の建築物内の温度調整や外気取り入れ時の清浄化に広く用いられており、住環境の改善には欠かせない存在となっている。係る空調装置は温度調節機能と送風機能とを有するものが普及しており、当該装置に組み込まれたフィルター取付け枠（ケーシングと称される場合もある）に塵埃等の濾過機能を持たせたフィルターユニットを装着する。空調装置の運転により濾別された塵埃はフィルターユニット内に蓄積され、所期の性能を満たさなくなった時点で当該ユニットのみを交換するのが一般的である。
【０００３】
このような装置構成として、特開２０１４−２１７８１４号公報（以下、特許文献１）では、フィルターパック（以下、フィルターユニットと称して包括的に説明する）の損傷を回避し得る技術が提案されている。図１は、フィルターユニット１１と、これを装着するための取付け枠１３との装着形態を説明するため、取付け枠の一部を透視的に示す説明図であって、取付け枠に対するフィルターユニットの装着に直接関与しない構成成分には符号を省略している。まず、フィルターユニット１１は、不織布などの多孔質素材を所定のピッチでプリーツ加工した直方体の概形とし、濾過に使用される一対の主面を除いて、その周囲は周知の板材並びにシーリング材などによって気密に成形されている。また、取付け枠１３は、天板１３ａ、底板１３ｂ並びに２枚の側板１３ｃで当該ユニット１１を収納装着できるように矩形の通気路を画成し、これら構成成分１３ａ〜１３ｃの一部を折り返す、或いは、別途額縁状の部材を取り付けることで、流出口１５が形成されている。
【０００４】
このような取付け枠１３は、図示していない空調装置本体に固定され、フィルターユニット１１の取付け時には図１に二点鎖線の矢印で示すとおり、通気路上流側から取付け枠１３を挿入して筐体内に装着し、やはり不図示のボルトなどで固定する。この際、通気路の側板側における位置は接合部材（不図示）で規制され、高さ位置は底板１３ｂに取り付けられた一対のレール状である線状突起１５で規制して所定の位置に装着する。さらに、装着されたフィルターユニット１１の通気路上流側端部には図示していない固定部材を配設する。
【０００５】
このようなフィルターユニット１１の下端部を線状突起で支える方式に対して、本出願人が従前から提案している実願昭５８−１４２５０号（実開昭５９−１３１２１９号公報の全文：以下、特許文献２）では、取付け枠が上述の特許文献１の技術に比べて軽量な取付枠（以下、取付け枠と表記する場合がある）が知られている。図２は、この文献技術を説明するため、図１と同様に示す概略的説明図であって、同一の機能を有する複数の構成成分が有る場合には、その一部の符号を省略して示している。前述図１に示した構成では、フィルターユニット１１の奥行（通気路の上下流方向に渡る寸法）に較べて取付け枠１３の奥行が大きいのに対して、図２に示す特許文献２の技術では、フィルターユニット１７の奥行が取付け枠１９の奥行に比べて大きい構成となっている。この取付け枠１９も、天板１９ａ、底板１９ｂ、並びに一対の側板１９ｃの一部を折り返すなどの手法で、取付け枠１９の大きさより一回り小さな矩形の通気路が画成されており、フィルターユニット１７の通気路下流側を受け容れる。
【０００６】
また、取付け枠１９にフィルターユニット１７を装着固定するため、側板１９ｃの夫々の内面には、ブラケット２１によって通気路上下流方向と、これとは直角をなす方向とに回動自在に取り付けられた、略「コ」字型のホルダ２３が設けられている。このホルダ２３に加え、底板１９ｂの内面には、フィルターユニット１７を載置するため、ホルダと同様にブラケット２５を用いて回動自在に支持体２７が取り付けられている。他方、フィルターユニット１７の通気路上流側に相当する面には、プリーツ加工された濾材を立体的に収納した本体部分の濾過面より大きな押さえ枠２９が取り付けられ、当該枠２９の対向する２辺には、合計４箇所に挿通孔３１が開孔される。フィルターユニットの装着は、図２に図１と同様な二点鎖線を示すように、ホルダ２３の両端部にねじ切りが施されており、フィルターユニット１７に設けられた４つの挿通孔３１に当該ホルダ２３を挿通し、不図示のボルトで固定する。この際、フィルターユニット１７の本体底面が支持体２７に載置され、略矩形のフィルターユニットの３面で装着固定される構成となっている。
【先行技術文献】
【特許文献】
【０００７】
【特許文献１】特開２０１４−２１７８１４号公報（［特許請求の範囲］、［０００４］〜［０００６］、［００１２］、［００３１］〜［００３４］、［００３９］〜［００４３］、［図３］、［図５］など）
【特許文献２】実開昭５９−１３１２１９号公報の全文（［実用新案登録請求の範囲］、［考案の詳細な説明」、［第１図］など］
【発明の概要】
【発明が解決しようとする課題】
【０００８】
上述した背景技術のうち特許文献１の技術では、フィルターユニットの脱着時、フィルターユニットの外周面に対する取付け枠側の接合部材等に起因する損傷を防止するため、線状突起上を通気路の上下流方向に案内移動させることで脱着を行う。一方、特許文献２の技術では、取付け枠自体を空調装置に取り付ける際、ホルダ及び支持体を回動自在に設けることでコンパクトな取付け枠自体の搬送を簡便に行う構成となっている。この特許文献２の技術は、フィルターユニットを奥行方向で支える構成成分が回動自在に設けられていることから、取付け枠の奥行方向での寸法、換言すれば天板、底板並びに両側板の幅を小さく採って軽量化を図り、フィルターユニットの奥行方向寸法を上述したホルダと支持体とで支えることが可能である。
【０００９】
ここで、濾材の濾過性能の変更や、例えば脱臭などの機能追加、プリーツ加工状態の仕様変更などにより、一度設置した取付け枠を利用しつつ、フィルターユニットの奥行方向の設計寸法は、例えば１０ｃｍから十数ｃｍ程度の範囲で変動する場合がある。しかしながら取付け枠自体の交換は高コストであり、特許文献２に開示された軽量かつ設置時の作業性を損なわず、一度設置した取付け枠で多様なフィルターユニットに対応可能な技術が希求されていた。本発明は、このような市場要求に鑑みなされたものであり、特許文献２に開示された軽量かつ作業性に優れ、しかも、多種多様なフィルターユニットの脱着時の作業性にも優れた取付け枠を実現、提供することを目的とする。
【課題を解決するための手段】
【００１０】
この目的の達成を図るため、本発明に係るフィルターユニットの取付け枠の構成によれば、天板、底板、並びに一対の側板で通気路を画成し、前記側板の各々に設けたブラケットに回動自在に取り付けられたホルダと、該ホルダに挿通するための挿通孔を設けたフィルターユニットを載置支持するため、前記底板の前記通気路の上流及び下流に渡って設けたレール状部材とを有するフィルターユニット取付け枠であって、
前記レール状部材には、その延在方向に渡り、前記側板に面して形成された延出用切欠き部を設け、該延出用切欠き部に回動自在に取り付けられた支持体を設けたことを特徴としている。
【００１１】
また、本発明の他の態様として、上述の延出用切欠き部に連続して、前述の天板方向に斜度調整切欠き部を設けても良い。
【発明の効果】
【００１２】
本発明の構成を適用することにより、軽量かつ設置時の作業性に優れ、しかも、フィルターユニットケーシングとフィルターユニットとの装着動作が容易であり、しかも、多種多様なフィルターユニットの脱着時の作業性にも優れた付け枠を実現することができる。
【図面の簡単な説明】
【００１３】
【図１】背景技術を説明するため、従来のフィルター取付け枠とフィルターユニットとを一部透視的に示す斜視図である。
【図２】他の背景技術の好適形態を説明するため、図１と同様に示す斜視図である。
【図３】本発明の好適な実施形態を説明するため、図１及び図２と同様に示すと共に、要部を拡大視した斜視図である。
【図４】図３の要部を拡大した概略断面により、支持体の通気路上流側への延出状態を一部透視的に示す模式図。
【図５】図４と同様に、支持体を通気路下流側に移動させた状態を示す模式図。
【図６】本発明に係る他の形態を説明するため、図４と同様に、支持体の通気路上流側に延出させた場合について示す模式図。
【図７】図５並びに図６と同様に、本発明に係る他の形態で、支持体の通気路下流側に移動させた場合について示す模式図。
【発明を実施するための形態】
【００１４】
以下、本発明の実施に好適な形態例について、図面を参照して説明する。尚、以下の説明では、この発明の理解が容易となる程度に、具体的な形状、配置関係、数値的条件など特定条件を例示する。まず、図３は、前述の図、特に図２と同様に示す説明図であって、本発明の特徴となるレール状部材に着目し、上側図面に一点鎖線で囲んだ部分を下側図面に拡大して示している。同図中、既に説明した構成成分と同一の機能を有する構成成分には同一の符号を付して詳細な説明を省略する場合がある。
【００１５】
この図３の好適形態では、図２に示した取付け枠１９と同様の構成であり、図２に示すブラケット２５並びに支持体２７の代わりに、レール状部材３３と支持体３５とを配設している。下側拡大図には、レール状部材３３にのみハッチングを付して示すが、当該部材３３は、矩形板を打ち抜いて額縁状にした後、対向する２辺を各々折り曲げ、この屈曲部によって構成される切り欠きを形成したものである。このように作製されたレール状部材３３を溶接等の周知技術で底板１９ｂに取り付けることによって、通気路の上下流方向に相当する延在方向に渡り、側板１９ｃに面した延出用切欠き部３７が、レール状部材３３と底板１９ｂとの間に画成される。レール状部材３３の端部は、各々、天板１９ａに向かって立設される概形となるが、この切欠き部３７の高さは、略円形の金属棒が屈曲加工された支持体３５の直径と実質的に同等であり、切欠き部３７に挿通された支持体３５は回動自在であって、しかも、通気路の上下流方向に延出可能に設けられている。
【００１６】
次に、図４並びに図５を参照し、好適形態例による作用について詳細に説明する。図４並びに図５は、図３に示す取付け枠構造のうち、レール状部材に着目し、側板１９ｃ側から通気路中央側に向かって見た場合の概略的な側面形態を一部透視して示す模式図である。まず、底板１９ｂとレール状部材３３とによって、側板に面した延出用切欠き部３７が画成され、当該切欠き部３７には支持体３５の端部が通気路中央側（図示の紙面裏側）から回動可能に挿入されている。図４には、この延出用切欠き部３７の最も通気路上流側に支持体３５を延出させた状態を示している。この状態では、支持体３５がレール状部材３３の底板１９と接合されている部分に載り上げ、その厚さに相当する分（図中、ａの符号を付す部分）だけ、底板面から天板側に向かって僅かに角度を持った延出状態となる。本明細書では、このように支持体と底板との成す角度を斜度と称する。図４に示す状態は、図示していないフィルターユニットの奥行寸法が比較的大きな場合に好適な支持体位置を採ることができ、当該ユニットの通気路上流側に支持体３５を移動させることによって、支持体はレール状部材３３の天板側端部に載置されたフィルターユニットの重心の、より上流側で支え、当該ユニットを安定して装着固定することができる。フィルターユニットの装着作業としては、図３に説明したフィルターユニット側の挿通孔３１にホルダ２３を挿通しながらレール状部材３３の上端に載置し、前述した特許文献２と同様に図示していないボルトで固定される。この装着状態では、図４に示すような支持体３５が底板の主面と斜度を有することでフィルターユニットの底面に確実に接触することで支持体を構成する金属棒が撓み、レール状部材３３の上端部と共に当該ユニットを確実に支え、安定した固定装着を実現することができる。
【００１７】
一方、支持体３５を延出用切欠き部３７の通気路下流側に移動させた図５の状態では、図４に示す場合に較べて斜度は緩やかになる。また、フィルターユニットの奥行寸法が比較的小さい場合には、支持対３５自体の通気路上流側への延出距離は小さくても良いことから、図５に示すように支持体３５を通気路下流側に移動させて装着作業を行えばよい。
【００１８】
このような斜度を利用した、他の取付け枠の形態につき、図６及び図７を参照して説明する。図６は、多くの取付け枠で採用されているように、取付け枠の構造上の強度を高めるため、天板、底板、並びに両側板の通気路上流端にも折り返しを採用した場合を示している。図６に示すように、底板１９ｂの上流端に折り返し部分Ｌを設け、さらに、レール状部材３９には、前述した延出用切欠き部３７に連続し、かつ、天板方向（図示上）側に設けた斜度調整切り欠き部４１ａ〜４１ｃを形成してある。まず、図６では、支持体３５が通気路の最上流側の斜度調整切欠き部４１ａに延出され、上述の折り返し部分Ｌを支点として斜度を形成する。この場合、レール状部材３９の上端に載置され、比較的奥行寸法の大きなフィルターユニット（不図示）は、斜度調整切欠き部４１ａに嵌合固定された斜度を持つ支持体３５が撓み、当該ユニットの通気路上流側の底面を確実に支える。また、奥行寸法の比較的小さなフィルターユニットを装着する際には、図７に示すように斜度調整切り欠き部４１ｃに嵌合固定された支持体３５によって小さな斜度を以てフィルターユニットを支持固定する構成になっている。ここで、斜度調整切欠き部は、図７に一部透視的に示す支持体３５からも理解できるように、当該切欠き部４１ａから切欠き部４１ｃに向かって、ｈ１〜ｈ３の符号を付して示す各々の切欠き高さ（延出用切欠き部の上端から天板方向に向かう切欠き部の寸法）を順次小さく採ってある。図６及び図７に示す形態では、延出用切欠き部３７の底板１９ｂからの高さに較べて、折り返し部分Ｌの高さが高いため、当該部分Ｌに最も近い斜度調整切欠き部４１ａの切り欠き高さｈ１を高くして斜度を小さくする構成となっている。このような形態とすることによって、比較的奥行寸法の大きなフィルターユニットを装着する場合、支持体３５は斜度調整切欠き部４１ａに嵌合させて、最も通気路上流側に延出した状態となり、逆に奥行寸法が小さなフィルターユニットでは、最も切り欠き高さが小さい斜度調整切欠き部４１ｃに嵌合された支持体３５によって、斜度並びに延出の度合いが小さな状態とする。これら図に示す斜度調整切欠き部は３箇所設けた形態を示したが、種々の奥行寸法で構成されたフィルターユニットの設計に応じ、位置、配設数、切欠き高さなど、任意好適に設計することができる。
【００１９】
以上、本発明の好適形態について図面を参照して説明したが、本発明はこれら例示にのみ限定されるものではない。例えば、図３から理解できるように、上述した形態では、取付け枠の奥行寸法に較べてフィルターユニットの奥行寸法が大きな場合を説明した。本発明の取付け枠の使用形態は上述の図示例に限らず、取付け枠に較べて奥行寸法が小さいフィルターユニットの場合であっても適用することができる。この場合、支持体は通気路の最下流側に移動収納して固定装着に関与させず、フィルターユニットがレール状部材の上部に載置されるが、支持体と当該ユニットの底面とを接触しない構成としても、当該ユニット自体はレール状部材とホルダとで確実に固定することができる。このように、本発明の取り付け枠は軽量であって作業性に優れ、多種多様な奥行寸法で構成されたフィルターユニットを安定して装着固定し得る。本発明は、以上に述べた特定の例示条件にのみ限定されるものではなく、この発明の目的の範囲内で任意好適な設計の変更または変形を行うことができる。
【符号の説明】
【００２０】
１１，１７：フィルターユニット、
１３，１９：取付け枠、
１３ａ，１９ａ：天板、１３ｂ，１９ｂ：底板、１３ｃ，１９ｃ：側板、
１５：線状突起、
２１，２５：ブラケット、２３：ホルダ、２７，３５：支持体、
２９：押さえ枠、３１：挿通孔、
３３，３９：レール状部材、３７：延出用切欠き部、
４１ａ〜４１ｃ：斜度調整切欠き部、
Ｌ：（底板の）折り返し部分、ｈ１，ｈ２，ｈ３：切欠き高さ。
【図１】
2019063749.tif 000003
【図２】
2019063749.tif 000004
【図３】
2019063749.tif 000005
【図４】
2019063749.tif 000006
【図５】
2019063749.tif 000007
【図６】
2019063749.tif 000008
【図７】
2019063749.tif 000009